(57)【要約】  携帯電子機器用のアクセサリは、プラットフォームとウォレットを備える。プラットフォームは、携帯電子機器又は携帯電子機器用のケースに取り付けられるように構成される。ウォレットはプラットフォームに着脱可能に取り付けられ、アクセサリのユーザに関連する１個以上の対象物を保持するように構成される。
2021510321.tif 000002
【特許請求の範囲】
【請求項１】
携帯電子機器用のアクセサリであって、
前記携帯電子機器又は前記携帯電子機器用のケースに取り付けられるように構成されたプラットフォームと、
前記プラットフォームに着脱可能に取り付けられ、前記アクセサリのユーザに関連する１個以上の対象物を保持するように構成されたウォレットと
を備える携帯電子機器用のアクセサリ。
【請求項２】
前記プラットフォームが前記プラットフォームを前記携帯電子機器又は前記携帯電子機器用の前記ケースに取り付けるための固定要素を備える、請求項１に記載のアクセサリ。
【請求項３】
前記固定要素がゲル接着剤を含む、請求項２に記載のアクセサリ。
【請求項４】
前記ウォレットが、前記プラットフォームを着脱可能に受容して該ウォレットを前記プラットフォームに着脱可能に取り付けるサイズの窪み開口部を備える、請求項１〜３のいずれかに記載のアクセサリ。
【請求項５】
前記ウォレットが前記プラットフォームにスライド可能に取り付け可能である、請求項１〜４のいずれかに記載のアクセサリ。
【請求項６】
前記ウォレットは、前記プラットフォームの長手方向軸に沿って前記プラットフォームにスライド可能に取り付け可能である、請求項５に記載のアクセサリ。
【請求項７】
前記ウォレットは、前記プラットフォームの横軸に沿って前記プラットフォームにスライド可能に取り付け可能である、請求項５に記載のアクセサリ。
【請求項８】
前記ウォレットは、第１パネル及び第２パネルと、前記第１パネルと前記第２パネルとの間に配置された弾性要素とを備え、前記第１パネルと、前記第２パネルと、前記弾性要素とが、前記１個以上の対象物を保持するサイズの１個以上の収納コンパートメントを画定する、請求項１〜７のいずれかに記載のアクセサリ。
【請求項９】
前記弾性要素が前記第１パネルと前記第２パネルとを接続する、請求項８に記載のアクセサリ。
【請求項１０】
前記弾性要素が前記１個以上の対象物を保持するサイズの複数の収納コンパートメントを画定する、請求項８に記載のアクセサリ。
【請求項１１】
前記ウォレットに結合されたグリップアクセサリをさらに備える、請求項１〜１０のいずれかに記載のアクセサリ。
【請求項１２】
前記グリップアクセサリが前記ウォレットと一体形成されている、請求項１１に記載のアクセサリ。
【請求項１３】
前記グリップアクセサリが基部と前記基部に対して離間したボタンとを備え、前記ボタンが前記基部に対して移動可能である、請求項１１又は１２に記載のアクセサリ。
【請求項１４】
前記グリップアクセサリが前記基部に結合された外板をさらに含み、前記ボタンが前記基部の反対側にある前記外板に結合され、前記外板は、折りたたみ構成と拡張構成との間で変形可能である、請求項１３に記載のアクセサリ。
【発明の詳細な説明】
【技術分野】
【０００１】
関連出願の相互参照
２０１８年９月２７日に出願された米国仮出願６２／７３７，４４４、及び２０１８年１月８日に出願された米国仮出願６２／６１４，８２９に対して優先権を主張する。これらの出願の各内容の全体を参照により本明細書において援用する。
【背景技術】
【０００２】
発明の分野
本発明は、携帯電子機器用アクセサリに関し、特に、携帯電子機器に着脱可能に取り付けられるウォレット又は携帯電子機器用のケースを含むアクセサリに関する。
【発明の概要】
【課題を解決するための手段】
【０００３】
本発明は、携帯電子機器用のアクセサリであって、前記携帯電子機器又は前記携帯電子機器用のケースに取り付けられるように構成されたプラットフォームと、前記プラットフォームに着脱可能に取り付けられ、前記アクセサリのユーザに関連する１個以上の対象物を保持するように構成されたウォレットとを備える携帯電子機器用のアクセサリを提供する。
【図面の簡単な説明】
【０００４】
【図１】図１は、本発明の教示に従って構成された携帯電子機器用アクセサリの一例の透視図であり、アクセサリのプラットフォームが携帯電子機器に取り付けられ、アクセサリのウォレットがプラットフォームから取り外されている。
【図２】図２は、図１のアクセサリの透視図であるが、ただし、プラットフォームにはウォレットが取り付けられている。
【図３】図３は、図１と同様であるが、無線充電装置を使用して携帯電子機器を充電するためのプラットフォームからウォレットを取り外した状態を示す。
【図４】図４は、本発明の教示に従って構成された携帯電子機器用アクセサリの別の例の透視図である。
【図５】図５は、本発明の教示に従って構成された携帯電子機器用アクセサリの別の例の上面図であり、アクセサリのウォレットがアクセサリのプラットフォームから取り外されている。
【図６】図６は、図５のアクセサリの上面図であるが、ただし、プラットフォームにはウォレットが取り付けられている。
【発明を実施するための形態】
【０００５】
本発明は、携帯電子機器（例えば、スマートフォン、タブレットコンピュータ、電子リーダー、デジタルメディアプレーヤー、カメラ、及び他の携帯電子機器）用のアクセサリに関する。ここで開示するアクセサリとしては、一般に、携帯電子機器に着脱可能に取り付けられるウォレット、又は携帯電子機器用のケースが挙げられる。ウォレットは、アクセサリのユーザ（多くの場合、ユーザは携帯電子機器も使用していることになる）に関連する（例えば所有する）１個以上の対象物（例えば、クレジットカード、身分証明書、名刺、写真、現金、鍵など）を確実に保持するように構成されている。このように、ウォレットが携帯電子機器又は携帯電子機器用ケースに取り付けられている場合には、ユーザは、このような対象物を携帯電子機器と共に確実かつ容易に保管し、携帯することができる。同時に、必要に応じて（例えば、ワイヤレス充電を可能にするように携帯電子機器のプロファイルを減少させるために）、ウォレットを携帯電子機器（又はケース）から取り外すことができる。
【０００６】
図１〜３は、本発明に従って構成されたアクセサリ１００の一例を示す。この例のアクセサリ１００は、プラットフォーム１０４と、プラットフォーム１０４に着脱可能に取り付けられ、かつ、一般に、アクセサリ１００のユーザ用の１個以上の対象物を確実に保持するように構成されたウォレット１０６とを備える。他の例では、アクセサリ１００は、追加の及び／又は異なる構成要素を備えることができる。
【０００７】
図１〜３において、プラットフォーム１０４は、スマートフォン１０８の形の携帯電子機器に着脱可能に取り付けられるように示されている。プラットフォーム１０４は、固定要素（図示せず）を介してスマートフォン１０８の後面１１０に着脱可能に取り付けられる。固定要素は、この固定要素がプラットフォーム１０４をスマートフォン１０８に確実に取り付けるだけでなく、必要に応じてプラットフォーム１０４を取り外して再配置又は交換することを可能にするように、プラットフォーム１０４の第１表面（これも図示せず）の一部又は全部に配置されたゲル接着剤の形態をとることが好ましい。その代わりに、固定要素は、別のタイプの接着剤（例えば、にかわ、テープ）又は機械的ロック手段（例えば、ねじ、フックアンドループ締結手段、スナップフィット、吸盤）の形態をとってもよい。
【０００８】
しかしながら、他の例では、プラットフォーム１０４は、代わりに、スマートフォン１０８用ケース又は別の携帯電子機器に着脱可能に取り付けられていてもよい。さらに他の例では、プラットフォーム１０４は、スマートフォン１０８（又は別の携帯電子機器）に恒久的に取り付けられてもよく又は当該スマートフォンと一体形成されていてもよく、あるいは携帯電子機器用ケースに恒久的に取り付けられてもよく又は携帯電子機器用ケースと一体形成されていてもよい。プラットフォーム１０４がケースに恒久的に取り付けられている又はケースと一体形成されている場合には、アクセサリ１００は、同様にケースを含むと見なされる。
【０００９】
図１及び図３に最もよく示されているように、この例のプラットフォーム１０４は、上記の第１表面（図示せず）と、第１表面に対向して配置される第２表面１１６とを有する楕円形の構造体である。プラットフォーム１０４がスマートフォン１０８に取り付けられたときに、第２表面１１６がスマートフォン１０８から離れた方向を向いていることが分かるであろう。しかしながら、他の例では、プラットフォーム１０４は、異なる形状及び／又はサイズを有することができる。例えば、プラットフォーム１０４は、長方形、三角形、円形、六角形、八角形、不規則形状その他の形状を有することができる。
【００１０】
図示されるように、この例のウォレット１０６は、一般に、第１パネル１２０と、第１パネル１２０の反対側にある第２パネル１２４と、１個以上の対象物（例えば、クレジットカード１３０、１３２、１３４）を保持するための１個以上の収納コンパートメントを画定するように第１パネル１２０及び第２パネル１２４に結合された弾性要素１２８とを備える。この例では、弾性要素１２８は、第１パネル１２０と第２パネル１２４との間に配置され、かつ、それらに固定して取り付けられることによって、第１パネル１２０と第２パネル１２４とが接続されるのみならず、図３に示されるように、１個以上の物体を保持するための２個の収納コンパートメント１２９も画定される。他の例では、弾性要素１２８は、単に第１パネル１２０及び第２パネル１２４の端部間に配置されるに過ぎず、かつ、第１パネル１２０及び第２パネル１２４に固定して取り付けられることによって、第１パネル１２０と第２パネル１２４とが接続されるのみならず、単一の収納コンパートメントのみが画定される。
【００１１】
第１パネル１２０は、好ましくは、剛性材料（例えば、硬質プラスチック）製であるが、第１パネル１２０は、半剛性材料製又は可撓性材料製であってもよい。第１パネル１２０は、図１及び図３に最もよく示されているように、第１パネルを部分的にのみ貫通して形成された凹部１３８を備える。凹部１３８は、一般に、プラットフォーム１０４の形状に適合する形状を有し、それによって、凹部１３８がプラットフォーム１０４を着脱可能に受容し保持するように構成される。したがって、この例の凹部１３８は、プラットフォーム１０４を着脱可能に受容して保持するようなサイズのＵ字形を有しており、この例では楕円形である。他の例では、例えば、プラットフォーム１０４が異なるサイズ及び／又は形状を有する場合には、凹部１３８は、この異なるサイズ及び／又は形状のプラットフォームに適合する異なるサイズ及び／又は形状を有していてもよい。また、第１パネル１２０は、ユーザが収納コンパートメント１２９の一方又は両方に対象物を入れたり出したりすることを案内することを可能にする切欠部１４０を備える。第１パネル１２０と同様に、第２パネル１２４は、好ましくは、剛性材料（例えば、硬質プラスチック）製であるが、半剛性材料又は可撓性材料製であってもよい。また、第２パネル１２４は、切欠部１４２（これは切欠部１４０と同一である）を備えるが、第２パネル１２４は、そうでなければ中実である、すなわち、凹部を備えない。
【００１２】
一方、この例の弾性要素１２８は、可撓性を有するが、ただしその形状を保持するのに十分な剛性を有する材料で作製された弾性ソックの形態をとる。言い換えれば、弾性要素１２８は、例えば、ユーザが対象物を収納コンパートメント１２９に挿入したり、対象物を収納コンパートメント１２９から取り出したりするときに、ユーザが弾性要素１２８を操作することができる材料から構成されるが、弾性要素１２８が解放されたときに弾性要素１２８を図１及び図３に示す元の位置に戻すように偏らせる材料から構成される。
【００１３】
他の例では、ウォレット１０６は、より少ない及び／又は異なる追加の構成要素を備えることができる。一例として、ウォレット１０６は、第１パネル１２０と第２パネル１２４とを接続するために、弾性要素１２８の代わりに剛性要素を採用してもよい。別の例として、ウォレット１０６は、切欠部１４０及び／又は切欠部１４２を備えていなくてもよい。
【００１４】
上記のように、ウォレット１０６は、プラットフォーム１０４に着脱可能に取り付けられる。したがって、所望の場合（例えば、ユーザがウォレット１０６及びそこに格納された任意の対象物をスマートフォン１０８と共に持ち運びたい場合）には、図２に示されるように、ウォレット１０６をプラットフォーム１０４に取り付けることができる。この例では、ウォレット１０６の凹部１３８がプラットフォーム１０４の長手方向軸１４４に沿ってスライド可能にプラットフォーム１０４を受容するようにウォレット１０６を操作することによって、ウォレット１０６をプラットフォーム１０４に取り付けることができる。逆に、所望の場合には、図１及び図３に図示されるように、ウォレット１０６を、同様に、ただし逆に、プラットフォーム１０４から取り外すことができる。一例として、ユーザは、スマートフォン１０８のプロファイルを減少させ、ウォレット１０６から対象物を取り出し、又は図３に示される無線充電装置１４４を使用してスマートフォン１０８を充電するためにウォレット１０６を取り外すことを望む場合がある。いずれにしても、この例では、プラットフォーム１０４が長手方向軸１４４に沿って凹部１３８から滑り出すようにウォレット１０６を操作することによって、ウォレット１０６をプラットフォーム１０４から取り外すことができる。他の例では、ウォレット１０６は、別の方法でプラットフォーム１０４に着脱可能である。一例として、ウォレット１０６は、接着剤（例えば、ゲル接着剤、テープ、にかわ）、様々な機械的手段（例えば、フックアンドループ締結手段、ねじ、スナップフィット、吸盤）、又は任意の他の公知の手段を使用して、プラットフォーム１０４に着脱可能に取り付けることができる。
【００１５】
図４は、本発明に従って構成されたアクセサリ４００の別の例を示す。アクセサリ４００は、共通の符号を使用して図示された共通の構成要素を有するアクセサリ１００と類似するが、ウォレット１０６に着脱可能に取り付けられ、恒久的に取り付けられ、又はウォレット１０６と一体形成されていてもよいグリップアクセサリ４０４を備える。例えば、ドッキングアクセサリとして使用することができ、かつ、携帯電子機器用のグリップ及びスタンドとして使用するための当該グリップアクセサリのさらなる説明は、共有の米国特許第８，５６０，０３１号に記載されている。その開示の全体は参照により本明細書において援用するものとする。
【００１６】
図５及び図６は、本発明に従って構成されたアクセサリ５００の別の例を示す。アクセサリ５００は、共通の符号を使用して図示された共通の構成要素を有するアクセサリ１００と類似するが、以下に説明するように相違する。
【００１７】
まず、プラットフォーム５０４は、プラットフォーム１０４とは異なる構造を有するが、他の点では類似する。プラットフォーム１０４と同様に、プラットフォーム５０４は楕円形の形状を有する。しかしながら、プラットフォーム１０４とは異なり、プラットフォーム５０４は、窪み部５４５（第２表面５１６に対して窪んでおり、プラットフォーム５０４がスマートフォン１０８に取り付けられたときに、第２表面１１６と同様に、スマートフォン１０８から離れて外方向に向いている）と、プラットフォーム５０４の周縁部に位置して又はそれに近接して窪み部５４５から外側に延在する複数の歯５４６とを備える。この例では、複数の歯５４６は、プラットフォーム５０４がスマートフォン１０８に取り付けられたときに、スマートフォン１０８から離れて外側に延在する。
【００１８】
次に、ウォレット５０６は、ウォレット１０６とは異なる構造を有する。特に、ウォレット５０６は、凹部１３８とは異なる凹部５３８を備える。凹部５３８は、凹部１３８と同様に、一般にプラットフォーム５０４の形状に適合する形状を有するため、凹部５３８がプラットフォーム５０４を着脱可能に受容して保持するように構成される。しかしながら、凹部５３８は、凹部１３８とは異なり、楕円形の部分５５４に開口するチャネル５５０を備える。チャネル５５０は、一般に、略長方形のプロファイルを有するプラットフォーム５０４の第１表面５１６をスライド可能に受容するように構成される。この例では、チャネル５５０は、第１表面５１６を受容する長方形のチャネルである。しかしながら、チャネル５５０及び第１表面５１６は、その代わりに異なる形状（例えば円形の形状）をとることができることに留意すべきである。さらに、ウォレット５０６は、プラットフォーム５０４の複数の歯５４６を受容するために、ウォレット５０６のチャネル５５０に隣接して形成された複数のスロット５４８も備える。
【００１９】
さらに、ウォレット５０６は、ウォレット１０６がプラットフォーム１０４に結合されるのとは異なる態様でプラットフォーム５０４に結合される。ウォレット１０６と同様に、ウォレット５０６は、ウォレット５０６の凹部５３８がプラットフォーム５０４をスライド可能に受容するようにウォレット５０６を操作することによって、プラットフォーム５０４に解放可能に結合できる。しかしながら、ウォレット１０６とは異なり、ウォレット５０６は、図５に示されるように、凹部５３８がプラットフォーム５０４の横軸５４５に沿ってスライド可能にプラットフォーム５０４を受容するように操作される。すなわち、ウォレット５０６は、プラットフォーム５０４を凹部５３８内に配置するために、垂直方向（プラットフォーム１０４を凹部１３８内に配置する場合のように）ではなく、水平方向にスライド可能である。次いで、複数の歯５４６は、図６に示されるように、ウォレット５０６の複数のスロット５４８と係合するまで（例えば、スロット５４８内の歯５４６をスナップさせることによって）移動し、それによってプラットフォーム５０４がウォレット５０６に確実に取り付けられる（その逆も同様）。しかし、他の例では、プラットフォーム５０４は、他の機械的ロック手段（例えば、ねじ、フックアンドループ締結手段）によってウォレット５０６に確実に取り付けることができる。逆に、所望の場合には、ウォレット５０６は、同様の方法で、ただし逆にプラットフォーム５０４から取り外すことができる。
【００２０】
最後に、本明細書には示されていないが、グリップアクセサリ４０４などのグリップアクセサリをウォレット５０６に着脱可能に取り付けてもよいし、恒久的に取り付けてもよいし、ウォレット５０６と一体形成してもよいことが分かるであろう。
【符号の説明】
【００２１】
１００  アクセサリ
１０４  プラットフォーム
１０６  ウォレット
１０８  スマートフォン
１２０  第１パネル
１２４  第２パネル
１２８  弾性要素
１２９  収納コンパートメント
１３８  凹部
１４０  切欠部
１４２  切欠部
【図１】
2021510321.tif 000003
【図２】
2021510321.tif 000004
【図３】
2021510321.tif 000005
【図４】
2021510321.tif 000006
【図５】
2021510321.tif 000007
【図６】
2021510321.tif 000008
【国際調査報告】
2021510321.tif 000009
2021510321.tif 000010
2021510321.tif 000011